(57)【要約】【課題】  利用者の体型やその時の好みにより変化する横臥面や座面のクッション性を、簡単に調整することができるマットレス装置を提供する。【解決手段】上記課題を解決するために本発明に係るマットレス装置１は、第一辺部２ｂと、第一辺部２ｂと水平方向に対向して配置される第二辺部２ｄと、を有するフレーム部２と、利用者と当接する当接面６２を有し、フレーム部２の内側に配置される載置部６と、第一辺部２ｂ側に一端が係止され、第二辺部２ｄ側に他端が係止され、載置部６の当接面６２よりも人体から離れた位置で、人体に載置部６を介して当接するコイルスプリング５と、コイルスプリング５の張力を手動で調節する複数の調節機構４と、を有し、コイルスプリング５の張力を、載置部６をフレーム部２の内部に配置されている状態で、調節することが可能であることを特徴とする。【選択図】図２
2020162731.tif 000002
【特許請求の範囲】
【請求項１】
第一辺部と、前記第一辺部と水平方向に対向して配置される第二辺部と、を有するフレーム部と、
利用者と当接する当接面を有し、前記第一辺部と前記第二辺部の間に配置される載置部と、
前記第一辺部側に一端が係止され、前記第二辺部側に他端が係止され、前記載置部の前記当接面よりも利用者から離れた位置で、利用者に前記載置部を介して当接する弾性部材と、
前記弾性部材の張力を手動で調節する一つ又は複数の調節機構と、を有し、
前記弾性部材の張力を、載置部をフレーム部の内部に配置されている状態で、調節することが可能であることを特徴とする、マットレス装置。
【請求項２】
前記調節機構は、
前記第一辺部を貫通した状態で、前記第一辺部のねじ孔に軸方向に相互に移動可能に螺合されているシャフトと、
前記第一辺部の前記第二辺部と対向している側とは反対側で、前記シャフトの一端側に着脱可能に取り付けられる調節用ハンドルと、
前記シャフトの他端側が回転自在に挿通される挿通孔を有し、前記シャフトの軸方向の移動に伴い前記軸方向に移動する連結板と、
前記連結板に設けられた前記弾性部材の前記一端を係止させる第一係止部と、
第二辺部側に前記弾性部材の前記他端を係止させる第二係止部と、
を有することを特徴とする、請求項１に記載のマットレス装置。
【請求項３】
前記弾性部材は、コイルスプリングであることを特徴とする、請求項１及び請求項２に記載のマットレス装置。
【請求項４】
前記フレーム部は、一端が前記第一辺部の前記第二辺部と対向する面の高さ方向の中程に固定され、他端が前記第二辺部の前記第一辺部と対向する面の高さ方向の中程に固定される梁を有することを特徴とする、請求項１〜請求項３の何れか一項に記載のマットレス装置。
【請求項５】
前記載置部は、
第一層部と、前記第一層部と高さ方向に重なって配置される第二層部と、を有し、
前記第一層部は、前記第二層部と対向する面とは反対側の面に前記当接面を有し、
前記第二層部は、前記第一層部と対向する面とは反対側の面に前記当接面を有し、
前記第一層部と前記第二層部のどちらを他方の上側に配置しても使用することができる、
ことを特徴とする、
請求項１〜請求項４の何れか一項に記載のマットレス装置。
【発明の詳細な説明】
【技術分野】
【０００１】
本発明は、マットレス装置に関し、更に詳細には、人体と当接する横臥面や着座面のクッション性の調節が可能なマットレス装置に関する。
【背景技術】
【０００２】
従来から、枠体を有し、その枠体の中にマットレスが配置されているマットレス装置として、種々のものが提案されている。例えば、特許文献１に示すように、弾性材料によって長方形状に形成され厚さ方向の中程で上部材と下部材に分割された本体部と、本体部の上部材と下部材の間に形成された複数の収容凹部に収容されて、本体部が利用者に与える硬さを調整する硬さの異なる複数種の硬さ調整部材と、を有するマットレス装置が提案されている。特許文献１に記載のマットレス装置によれば、利用者の体格や寝姿勢などに応じて本体部のクッション性を変えることで、身体の重い部分が他の部分に比べて大きく沈むことがないよう支えることができ、寝心地が低下するのを抑えることができる。
【先行技術文献】
【特許文献】
【０００３】
【特許文献１】特開２０１３−２４０４７９号公報
【発明の概要】
【発明が解決しようとする課題】
【０００４】
しかし、特許文献１に記載のマットレス装置は、調整部材を交換するために、本体部を上部材と下部材に分割されたところで開いて収容凹部を露出させる必要がある。そのため、使用するときの好みによりクッション性を調節したいという場合のように、調節する頻度が高い利用者の負担が大きかった。
【０００５】
以上より、本発明が解決しようとする課題は、利用者の体型やその時の好みにより、変化する横臥面や座面のクッション性を簡単に調整することができるマットレス装置を提供することを目的とする。
【課題を解決するための手段】
【０００６】
上記目的を達成するために本発明に係るマットレス装置は、第一辺部と、第一辺部と水平方向に対向して配置される第二辺部と、を有するフレーム部と、利用者と当接する当接面を有し、第一辺部と第二辺部の間に配置される載置部と、第一辺部側に一端が係止され、第二辺部側に他端が係止され、載置部の当接面よりも利用者から離れた位置で、利用者に載置部を介して当接する弾性部材と、弾性部材の張力を手動で調節する一つ又は複数の調節機構と、を有し、弾性部材の張力を、載置部をフレーム部の内部に配置されている状態で、調節することが可能であることを特徴とする。
【０００７】
調節機構は、第一辺部を貫通した状態で、第一辺部のねじ孔に軸方向に相互に移動可能に螺合されているシャフトと、第一辺部の第二辺部と対向している側とは反対側で、シャフトの一端側に着脱可能に取り付けられる調節用ハンドルと、シャフトの他端側が回転自在に挿通される挿通孔を有し、シャフトの軸方向の移動に伴い軸方向に移動する連結板と、連結板に設けられた弾性部材の一端を係止させる第一係止部と、第二辺部側に弾性部材の他端を係止させる第二係止部と、を有することが好ましい。
【０００８】
弾性部材は、コイルスプリングであることが好ましい。
【０００９】
フレーム部は、一端が第一辺部の第二辺部と対向する面の高さ方向の中程に固定され、他端が第二辺部の第一辺部と対向する面の高さ方向の中程に固定される梁を有することが好ましい。
【００１０】
前記載置部は、第一層部と、第一層部と高さ方向に重なって配置される第二層部と、を有し、第一層部は、第二層部と対向する面とは反対側の面に当接面を有し、第二層部は、第一層部と対向する面とは反対側の面に当接面を有し、第一層部と第二層部のどちらを他方の上側に配置して使用することができることが好ましい。
【発明の効果】
【００１１】
本発明は、以上のように構成したので、利用者の体型やその時の好みにより、変化する横臥面や座面のクッション性を簡単に調整することができる。
【図面の簡単な説明】
【００１２】
【図１】本発明の第一実施形態のマットレス装置の斜視図である。
【図２】図１に記載のマットレス装置の分解斜視図である。
【図３】（ａ）は図1に記載のマットレス装置の平面図、（ｂ）はＡ−Ａ線断面図、（ｃ）はＢ−Ｂ線断面図である。
【図４】（ａ）は載置部の第一層部と第二層部の平面図であり、（ｂ）は第一層部と第二層部の背面図である。
【図５】図１に記載のマットレス装置の弾性部材の張力を調節している状態の説明図である。
【図６】本発明の他の実施形態のマットレス装置の平面図である。
【図７】（ａ）は本発明のさらに他の実施形態のマットレス装置の斜視図であり、（ｂ）はこの実施形態の載置部の分解斜視図である。
【発明を実施するための形態】
【００１３】
〔第一実施形態〕
以下、図１〜図５を参照しつつ、本発明のマットレス装置の第一実施形態について説明する。
本実施形態にかかるマットレス装置１は、図２に示すように、フレーム部２と、フレーム部２の内側に取付けられ、クッション性を調節可能な調節機構４と、調節機構４を挟み込み、人体が載置される載置部６と、を有する。
調節機構４は、載置部６の人体と当接する横臥領域６２ａのクッション性を調節するためのものである。
調節機構４は、人体の所定の部位に対応して複数設けられており、それらのクッション性を調節するときに用いられる調節ハンドル４６を有する。
【００１４】
マットレス装置１は、図２に示すように、調節機構４が人体の所定の部位に対応して複数設けられていることにより、利用者の体型に応じてクッション性を調整することができ、また、調節機構４のクッション性を手動の操作で簡単に調節することができるので、その時の好みにより変化するクッション性を、容易かつ自由に調整することができる。
【００１５】
以下に、マットレス装置１の各構成要素について説明する。
本実施形態において、長さ方向Ｌに沿って利用者の頭部と脚部が配置されるものとし、頭部側を前側Ｌ１、脚部側を後側Ｌ２とする。
また、長さ方向Ｌに直交する方向を幅方向Ｗとし、仰向けに寝た状態である仰臥位の姿勢のときに利用者の右手側を右側Ｗ１、左手側を左側Ｗ２とする。
さらに、長さ方向Ｌと幅方向Ｗに直交する方向を高さ方向Ｈとし、仰臥位の姿勢のときに利用者の正面側を上側Ｈ１、背面側を下側Ｈ２とする。
なお、上述した前側Ｌ１、後側Ｌ２、右側Ｗ１、左側Ｗ２、上側Ｈ１、及び下側Ｈ２は、相対的なものである。
【００１６】
＜フレーム部２＞
フレーム部２は、図１に示すように、載置部６を収容するとともに、後述する調節機構４を固定するためのものである。
フレーム部２は、図２に示すように、載置部６の外枠を囲む枠体２ａと、枠体２ａの内側に取付けられた梁２ｈと、を有する。
【００１７】
枠体２ａは、図１に示すように、本実施形態において、平面視で長方形状に形成されている。
枠体２ａは、図２に示すように、その内側に、調節機構４が取り付けられ、載置部６が配置される。
枠体２ａは、後述する調節機構４の弾性部材であるコイルスプリング５と略直交するように位置する板状の第一辺部２ｂ及び第二辺部２ｄと、第一辺部２ｂ及び第二辺部２ｄのそれぞれと繋がる板状の第三辺部２ｆ及び第四辺部２ｇと、を有する。
枠体２ａは、第一辺部２ｂと第二辺部２ｄの各々の対向する面と第三辺部２ｆと第四辺部２ｇの両方の端面が当接した状態で繋がって形成されている。
【００１８】
第一辺部２ｂには、図２に示すように、後述する調節機構４のシャフト４１ｂ、４３ｂ、４５ｂの雄ネジ部４１ｅ、４３ｅ、４５ｅがそれぞれ螺合する３つのねじ孔２ｃが設けられている。
本実施形態においては、ねじ孔２ｃのねじ溝は右回りの螺旋状、つまり右ねじに形成されている。
【００１９】
第一辺部２ｂと第二辺部２ｄの長さは、枠体２ａの内側に配置させる載置部６の大きさに応じて、シングルサイズやダブルサイズ等の所望のサイズに適宜設定することができる。
【００２０】
第三辺部２ｆと第四辺部２ｇは、図２に示すように、その長さが、第一辺部２ｂと第二辺部２ｄの間に、載置部６と調節機構４を配置することができる程度の長さに形成されていれば足りる。
つまり、第一辺部２ｂと第二辺部２ｄの間で、載置部６と調節機構４を幅方向Ｗに配置することができれば、シングルサイズやダブルサイズ等のサイズにしてもよく、調節機構４を設けた分だけ、それらよりも幅広くなるようにしてもよい。
【００２１】
梁２ｈは、図２に示すように、第一梁２ｉと第二梁２ｋと、を有し、各々の両端が、第一辺部２ｂと第二辺部２ｄのそれぞれと繋がっている。第一梁２ｉと第二梁２ｋは、高さ方向Ｈ及び長さ方向Ｌの厚さが略等しく形成されている。
【００２２】
第一梁２ｉは、図２に示すように、第一辺部２ｂと第二辺部２ｄに、高さ方向Ｈの中程で、水平又は略水平になるように繋がっている。
第一梁２ｉは、第三辺部２ｆとの間に、後述する第一調節機構４１を配置できる程度の間隔をあけて設けられている。
【００２３】
第二梁２ｋは、図２に示すように、第一梁２ｉよりも第四辺部２ｇ側で、第一梁２ｉと同じ高さの位置で、水平又は略水平になるように繋がっている。
第二梁２ｋは、第一梁２ｉとの間に、後述する第二調節機構４３を配置できる程度の間隔をあけて設けられており、第四辺部２ｇとの間に第三調節機構４５を配置できる程度の間隔をあけて設けられている。
【００２４】
なお、梁２ｈは、調節機構４の数に応じて、その数を適宜変更することができる。例えば、第四、第五調節機構・・・と設ける場合には、その機構の数に応じて梁２ｈを増やすことができ、第一調節機構４１と第二調節機構４３だけにする場合には、その数を減らすこともできる。
【００２５】
＜調節機構４＞
調節機構４は、弾性部材であるコイルスプリング５の張力を調節することにより、マットレス装置１の人体と当接する横臥面のクッション性を調節するためのものである。
【００２６】
調節機構４は、図２に示すように、人体の所定の部位に対応して複数設けられている。具体的には、調節機構４は、人体の肩部に対応する第一調節機構４１と、腰部に対応する第二調節機構４３と、足首部に対応する第三調節機構４５と、それらを構成するコイルスプリング５の張力を調節するときに着脱される調節ハンドル４６と、を有する。
第一調節機構４１と、第二調節機構４３及び第三調節機構４５は、用いられるコイルスプリング５の数が異なるが、基本的な構造は同じある。具体的には、第一調節機構４１では、３個のコイルスプリング５が用いられているのに対して、第二調節機構４３と第三調節機構４５では、２個のコイルスプリング５が用いられている。
そこで、最初に第一調節機構４１と調節ハンドル４６について説明し、次に、第二調節機構４３及び第三調節機構４５について説明する。
【００２７】
第一調節機構４１は、図３（ａ）に示すように、第一辺部２ｂ側に配置され、第一係止部４１ｉを有する第一支持部４１ａと、第二辺部２ｄに固定されている第二係止部４１ｍと、第一支持部４１ａと第二係止部４１ｍにその両端が係止されているコイルスプリング５と、を有する。
【００２８】
第一支持部４１ａは、図３（ｂ）に示すように、一端が、幅方向Ｗの右側Ｗ１と左側Ｗ２の相互に移動可能に第一辺部２ｂに支持されているシャフト４１ｂと、シャフト４１ｂの他端側が挿通されている挿通孔４１ｈを有する連結板４１ｇと、を有する。
【００２９】
シャフト４１ｂは、図３（ｂ）に示すように、円柱状に形成された本体部４１ｃと、本体部４１ｃの一端側の端面に設けられた変形取付穴４１ｄと、他端側に設けられたフランジ部４１ｆと、変形取付穴４１ｄとフランジ部４１ｆの間に刻設され、第一辺部２ｂのねじ孔２ｃと螺合する雄ネジ部４１ｅと、を有する。
【００３０】
本体部４１ｃは、図３（ｂ）に示すように、後述する連結板４１ｇの挿通孔４１ｈの直径よりも小さく形成されて、挿通孔４１ｈに回転自在に挿通されている。
【００３１】
変形取付穴４１ｄは、後述する調節ハンドル４６の連結部４６ｂの横断面形状と略同形状に形成されている。変形取付穴４１ｄには、コイルスプリング５の張力を調節するときに、調節ハンドル４６の連結部４６ｂが挿入される。この状態で、調節ハンドル４６を回転させると、本体部４１ｃを回転させることができる。
なお、本体部４１ｃが調節ハンドル４６とともに回転可能に連結すればよく、例えば、本体部４１ｃに両側を削り取ることによって形成された略矩形状の変形部が形成され、調節ハンドル４６にその変形部と略同形状の変形取付穴が形成されていてもよい。
【００３２】
雄ネジ部４１ｅは、図３（ｂ）に示すように、第一辺部２ｂの長さ方向Ｌの前側Ｌ１の端のねじ孔２ｅと螺合している。これにより、調節ハンドル４６を回転させることにより、本体部４１ｃを軸方向に移動させることができる。
雄ネジ部４１ｅの軸方向の長さは、連結板４１ｇを幅方向Ｗの右側Ｗ１と左側Ｗ２にどの程度の距離だけ移動可能にさせるかにより、適宜決定して刻設することができる。
【００３３】
フランジ部４１ｆは、図３（ｂ）に示すように、本体部４１ｃの一端から、本体部４１ｃの中心軸と直交する方向に延びて形成されている。フランジ部４１ｆは、その直径が連結板４１ｇの挿通孔４１ｈの直径よりも大きく形成されている。これにより、シャフト４１ｂは、回動可能に連結板４１ｇに挿入されつつ、連結板４１ｇがシャフト４１ｂから抜けるのを防ぐことができる。
なお、連結板４１ｇから本体部４１ｃから抜けるのを防ぐことができるのであれば、連結板４１ｇから突き出した本体部４１ｃにボルトを締結するなど、他の抜け止めの手段を用いることもできる。
また、挿通孔４１ｈに挿通した状態の本体部４１ｃには、連結板４１ｇをフランジ部４１ｆとともに挟むように、スナップリング等の止め輪４１ｋが本体部４１ｃに形成された溝に嵌められている。
【００３４】
連結板４１ｇは、図３（ｂ）に示すように、シャフト４１ｂの本体部４１ｃが挿通される挿通孔４１ｈと、第二辺部２ｄと対向する側の面に、コイルスプリング５の一端を係止させるフック状の第一係止部４１ｉと、を有する。
【００３５】
第一係止部４１ｉは、図３（ｃ）に示すように、係止したコイルスプリング５の一端が、梁２ｈよりも上側で、かつ、両側が係止されたコイルスプリング５が水平又は略水平に配置するように、連結板４１ｇに設けられている。
第一係止部４１ｉは、設置されるコイルスプリング５の数だけ設けられている。具体的には、第一調節機構４１は、３つのコイルスプリング５を用いるため、連結板４１ｇには、第一係止部４１ｉが３つ設けられている。
【００３６】
第二係止部４１ｍは、図３（ａ）及び（ｂ）に示すように、第二辺部２ｄの第一辺部２ｂと対向する面に、第一係止部４１ｉ側に対向するように設けられている。
第二係止部４１ｍは、係止したコイルスプリング５の一端が梁２ｈよりも上側に配置するように設けられている。
第二係止部４１ｍは、第一係止部４１ｉと同様に、設置されるコイルスプリング５の数だけ設けられている。
【００３７】
調節ハンドル４６は、図２に示すように、連結部４６ｂが形成された回動部４６ａと、回動部４６ａよりも半径方向の外側に位置する把持部４６ｃと、回動部４６ａと把持部４６ｃを連結する連結部４６ｄと、を有する。把持部４６ｃは、連結部４６ｄがシャフト４１ｂの変形取付穴４１ｄに挿入されると、シャフト４３ｂを時計回りＣＷと反時計回りＣＣＷに相互に回転させることができる。
【００３８】
第一調節機構４１は、以上の構成により、図５（ａ）に示す状態から、横臥領域６２ａのクッション性を調節する場合に、図５（ｂ）に示すように、利用者がシャフト４１ｂの変形取付穴４１ｄに調節ハンドル４６の連結部４６ｂを挿入して、把持部４６ｃを把持して反時計回りＣＣＷに回すと、回動部４６ａとともにシャフト４１ｂが反時計回りＣＣＷに回動して、フランジ部４１ｆが第二係止部４１ｍから離れる方向に移動する。そして、フランジ部４１ｆと当接している連結板４１ｇが第二係止部４１ｍから離れる方向に移動する。これにより、第一係止部４１ｉと第二係止部４１ｍの間の距離を長くすることができ、その両端が係止されているコイルスプリング５の張力を大きくすることができる。
そして、コイルスプリング５の張力を調節したのち、把持部４６ｃを回転させるのを停止させれば、その調整した状態を維持することができる。
また、図５（ｃ）に示すように、把持部４６ｃを把持して時計回りＣＷに回すと、回動部４６ａとともにシャフト４１ｂが時計回りＣＷに回動して、係止されている止め輪４１ｋが第二係止部４１ｍに近接する方向に移動する。そして、止め輪４１ｋに当接している連結板４１ｇが第二係止部４１ｍに近接する方向に移動する。これにより、第一係止部４１ｉと第二係止部４１ｍの間の距離を短くすることができ、その両端が係止されているコイルスプリング５の張力を小さくすることができる。
【００３９】
次に、第二調節機構４３と第三調節機構４５について説明する。
第二調節機構４３と第三調節機構４５は、図３（ａ）に示すように、用いられるコイルスプリング５の数と、配置が異なるが、その他の構造は第一調節機構４１と略同じである。
具体的には、第二調節機構４３は、第一辺部２ｂ側に配置され、第一係止部４３ｉを有する第一支持部４３ａと、第二辺部２ｄ側に固定されている第二係止部４３ｍと、第一係止部４３ｉと第二係止部４３ｍにその両端が係止されている２つのコイルスプリング５，５と、を有する。第二調節機構４３は、第一調節機構４１よりも長さ方向Ｌの後側Ｌ２に配置されている。
また、第三調節機構４５も同様に、第一支持部４５ａと、第一辺部２ｂ側に配置され、第一係止部４５ｉを有する第一支持部４５ａと、第二辺部２ｄ側に固定されている第二係止部４５ｍと、第一係止部４５ｉと第二係止部４５ｍにその両端が係止されている２つのコイルスプリング５と、を有する。そして、第三調節機構４５は、第二調節機構４３よりも長さ方向Ｌの後側Ｌ２に配置されている。
本実施形態では、第二調節機構４３の連結板４３ｇと第三調節機構４５の連結板４５ｇは、第一調節機構４１の連結板４１ｇと長さ方向Ｌの長さが略等しく形成されているが、用いるコイルスプリング５の数が少ない分だけ、長さ方向Ｌの長さが短く形成されていてもよい。
【００４０】
なお、第二調節機構４３は、第一係止部４３ｉと第二係止部４３ｍが、用いられるコイルスプリング５と同じ数だけも設けられているのが、本発明はこれに限定されない。
第一係止部４１ｉと同様に、３つ設けられていてもよい。その場合には、利用者の体格や好みに応じて、第二調節機構４３に係止させるコイルスプリング５の数を増やすことができる。第三調節機構４５においても同様である。
【００４１】
＜載置部６＞
次に、載置部６について説明する。
載置部６は、図２に示すように、平面視で長方形状である第一層部６１と、第一層部６１と重なって配置されている第二層部７１と、を有する。
本実施形態では、第一層部６１が高さ方向Ｈの上側Ｈ１に配置され、第一層部６１よりも高さ方向Ｈの下側Ｈ２に第二層部７１が配置されているが、第一層部６１と第二層部７１は、どちらを上側Ｈ１に配置して使用することもでき、また、どちらを下側Ｈ２に配置して使用することもできる。
第一層部６１と第二層部７１は、第一梁２ｉと第二梁２ｋの高さ方向Ｈの中程を結ぶ面を基準に、面対称の関係にあり、第一層部６１と第二層部７１は、高さ方向Ｈの位置を変えるときは、長さ方向Ｌの前側Ｌ１の短辺が後側Ｌ２の短辺よりも前側Ｌ１に位置した状態を維持して反転される。
【００４２】
第一層部６１は、図４に示すように、平面視で長方形の板状に形成されており、一方の主面側に人体と当接する当接面６２と、他方の主面側に第二層部７１と対向する対向面６３を有する。
【００４３】
当接面６２には、図２に示すように、利用者が横たわる際に使用する領域である、横臥領域６２ａが形成されている。
対向面６３には、調節機構４を収容する収容部が、調節機構４の数に対応した数だけ形成されている。具体的には、第一調節機構４１を収容する第一収容部６４と、第二調節機構４３を収容する第二収容部６５と、第三調節機構４５を収容する第三収容部６６と、を有する。
【００４４】
第一収容部６４は、図４に示すように、幅方向Ｗに沿って形成され、第一調節機構４１のコイルスプリング５が収容される溝部６４ａと、当接面６２が対向面６３より上側Ｈ１に位置したときに、溝部６４ａの幅方向Ｗの右側Ｗ１の端に位置する第一切欠６４ｂと、溝部６４ａの幅方向Ｗの左側Ｗ２の端に位置する第二切欠６４ｃと、を有する。
【００４５】
第一切欠６４ｂは、図４（ｂ）に示すように、平面視で「コ」の字状に形成されており、第一層部６１が上側Ｈ１に配置したときに、連結板４１ｇとシャフト４１ｂを収容することができ、下側Ｈ２に配置したときに、第二係止部４１ｍ側に配置されるように形成されている。
具体的には、第一切欠６４ｂは、対抗する一対の面の間の長さ方向Ｌの距離が、連結板４１ｇの長さ方方向Ｌの幅、及び並置された３つの第二係止部４５ｍの両端の距離よりも長くなるように形成されている。また、一対の面の幅方向Ｗの幅は、コイルスプリング５の張力を調節するときに、最も第二辺部２ｄに近接したフランジ４１ｆの位置から第一辺部２ｂまでの距離と略等しくなるように形成されている。
第二切欠６４ｃは、平面視で逆「コ」の字状に形成されており、長さ方向Ｌの幅や、幅方向Ｗの幅は、第一切欠６４ｂと略同じである。
【００４６】
第二収容部６５は、図４に示すように、第一収容部６４と、溝部と切欠の長さ方向Ｌの幅が異なる以外は、その構造が同じであり、第三収容部６６は、第一収容部６４とその構造が同じである。
つまり、第二収容部６５は、幅方向Ｗに沿って形成され、第二調節機構４３のコイルスプリング５が収容される溝部６５ａと、当接面６２が対向面６３より上側Ｈ１に位置したときに、溝部６５ａの幅方向Ｗの右側Ｗ１の端に第一切欠６５ｂと、溝部６４ａの幅方向Ｗの左側Ｗ２の端に第二切欠６５ｃと、を有する。
また、第三収容部６６は、幅方向Ｗに沿って形成され、第三調節機構４５のコイルスプリング５が収容される溝部６６ａと、当接面６２が対向面６３より上側Ｈ１に位置したときに、溝部６６ａの幅方向Ｗの右側Ｗ１の端に第一切欠６６ｂと、溝部６５ａの幅方向Ｗの左側Ｗ２の端に第二切欠６６ｃと、を有する。
【００４７】
また、対向面６３には、図４に示すように、第二層部７１や梁２ｈと当接する当接領域６３ａが形成されている。
具体的には、第二層部７１と当接する第一当接領域６３ｂと、梁２ｈと当接する第二当接領域６３ｃと、を有する。
本実施形態においては、一対の第一当接領域６３ｂが形成されており、その内側に、第一梁２ｉと第二梁２ｋに対応して、２個の第二当接領域６３ｃが形成されている。
第一当接領域６３ｂは、図３（ｃ）に示すように、当接面６２からの高さが、第二当接領域６３ｃの当接面６２からの高さよりも、第一梁２ｉの高さ方向Ｈの厚さの半分程度だけ、高く形成されている。
【００４８】
第二層部７１は、第一層部６１と同じ構造に形成されている。
具体的には、第二層部７１は、図４に示すように、平面視で長方形の板状に形成されており、一方の主面側に人体と当接する当接面７２と、他方の主面側に第一層部６１と対向する対向面７３を有する。
【００４９】
当接面７２には、図４に示すように、利用者が横たわる際に使用する領域である、横臥領域７２ａが形成されている。
対向面７３には、第一層部６１と同様に、第二層部７１が高さ方向Ｈの上側Ｈ１に配置されたときに、調節機構４を収容する収容部が、調節機構４の数に対応した数だけ形成されている。具体的には、第一調節機構４１を収容する第一収容部７４と、第二調節機構４３を収容する第二収容部７５と、第三調節機構４５を収容する第三収容部７６と、を有する。
第一収容部７４は、幅方向Ｗに沿って形成され、第一調節機構４１のコイルスプリング５が収容される溝部７４ａと、当接面７２が対向面７３より上側Ｈ１に位置したときに、溝部７４ａの幅方向Ｗの右側Ｗ１の端に第一切欠７４ｂと、溝部７４ａの幅方向Ｗの左側Ｗ２の端に第二切欠７４ｃと、を有する。
【００５０】
第二収容部７５は、図４に示すように、第一収容部７４と、溝部と切欠の長さ方向Ｌの幅が異なる以外は、その構造が同じであり、第三収容部７６は、第一収容部７４とその構造が同じである。
つまり、第二収容部７５は、幅方向Ｗに沿って形成され、第二調節機構４３のコイルスプリング５が収容される溝部７５ａと、当接面７２が対向面７３より上側Ｈ１に位置したときに、溝部７５ａの幅方向Ｗの右側Ｗ１の端に第一切欠７５ｂと、溝部７４ａの幅方向Ｗの左側Ｗ２の端に第二切欠７５ｃと、を有する。
また、第三収容部７６は、幅方向Ｗに沿って形成され、第三調節機構４５のコイルスプリング５が収容される溝部７６ａと、当接面７２が対向面７３より上側Ｈ１に位置したときに、溝部７６ａの幅方向Ｗの右側Ｗ１の端に第一切欠７６ｂと、溝部７５ａの幅方向Ｗの左側Ｗ２の端に第二切欠７６ｃと、を有する。
【００５１】
また、対向面７３には、第一層部６１や梁２ｈと当接する当接領域７３ａが形成されている。
第一層部６１と当接する第一当接領域７３ｂと、梁２ｈと当接する第二当接領域７３ｃと、を有する。
本実施形態においては、一対の第一当接領域７３ｂが形成されており、その内側に、第一梁２ｉと第二梁２ｋに対応して、２個の第二当接領域７３ｃが形成されている。
第一当接領域７３ｂは、当接面７２からの高さが、第二当接領域７３ｃの当接面７２からの高さよりも、第一梁２ｉの高さ方向Ｈの厚さの半分程度だけ、高く形成されている。
【００５２】
第一層部６１と第二層部７１は、ポリウレタンフォームなどの公知ものを適宜用いることができる。
【００５３】
［クッション性の調節方法］
次に、本実施形態のマットレス装置１のクッション性の調節方法について説明する。
まず、使用者は、横臥領域６２ａの上で、仰向けに寝た状態である仰臥位や、腹を床に着けて寝た状態である伏臥位や、横向きに寝た状態である側臥位等の好みの臥位の姿勢となり、好みのクッション性となっているか確認する。
好みのクッション性となっていない場合には、その部位に対応する調節機構４、つまり、第一調節機構４１のシャフト４１ｂ、第二調節機構４３のシャフト４３ｂ、又は第三調節機構４５のシャフト４５ｂの何れかに、調節ハンドル４６を連結させて、図５（ｂ）又は（ｃ）に示すように、調節ハンドル４６を時計方向又は反時計方向に回転させる。その後、使用者は、横臥領域６２ａの上で、先程と同じ臥位の姿勢となり、好みのクッション性になっているか確認する。
確認した結果、好みのクッション性となっていない部位がある場合は、調節機構４１、
４３、４５のうち、その部位に対応する機構において、調節ハンドル４６を用いてクッション性を調節する。
【００５４】
次に、本実施形態のマットレス装置１により奏する効果について説明する。
本実施形態のマットレス装置１は、コイルスプリング５の張力を手動で調節する調節機構４が設けられている。これにより、利用者は、その時の好みに応じて、クッション性を自由に調節することができる。
また、第一辺部２ｂと第一辺部２ｂと水平方向に対向して配置される第二辺部２ｄに弾性部材であるコイルスプリング５が係止されている。これにより、コイルスプリング５の一端と他端が高さ方向Ｈに沿って配置させる場合に比べて、コイルスプリング５の数を少なくすることができる。
さらに、調節機構４は、その構造が比較的に単純なので、コストが上がるのを抑えることができる。
また、梁２ｈが第一辺部２ｂと第二辺部２ｄの高さ方向Ｈの中程に設けられているので、第一層部６１と第二層部７１を略同形状にすることができる。
さらに、第一層部６１と第二層部７１のどちらも当接面６２、７２を有していることにより、第一層部６１と第二層部７１のどちらも、他方の上側Ｈ１に配置させて使用することができる。
【００５５】
〔第二実施形態〕
次に、第二実施形態について説明する。
第一実施形態と同様の構成要素には、第一実施形態と同じ符号を付し、説明を省略する。
本実施形態のマットレス装置１Ａは、第一実施形態のマットレス装置１では、調節機構４が幅方向Ｗの右側Ｗ１からのみクッション性の調節が可能であったのに対して、図６に示すように、左側Ｗ２からもクッション性を調節することができる点が異なる。
【００５６】
具体的には、本実施形態においては、第二辺部２ｄは、第一辺部２ｂと同じ構造であり、第一辺部２ｂと線対称に配置されている点でのみ異なる。つまり、第二辺部２ｄは、第一辺部２ｂと同様に、３つのねじ孔２ｅが設けられている。
そして、本実施形態では、調節機構４Ａが、第一実施形態の調節機構４と同様に、人体の肩部に対応する第一調節機構４１と、腰部に対応する第二調節機構４３と、足首部に対応する第三調節機構４５と、それらを構成するコイルスプリング５の張力を調節するときに着脱される調節ハンドル４６と、を有するが、第二辺部２ｄに、第二係止部４１ｍの代わりに第一調節機構４１の第一支持部４１ａに対応する第二支持部４１ｐと、第二係止部４３ｍの代わりに第二調節機構４３の第一支持部４３ａに対応する第二支持部４３ｐと、第二係止部４５ｍの代わりに第三調節機構４５の第一支持部４５ａに対応する第二支持部４５ｐと、が設けられている。
第一調節機構４１は、第一支持部４１ａと第二支持部４１ｐが、線対称に配置されている点で異なるが、その構造は同じである。第二調節機構４３と第三調節機構４５においても同様である。
【００５７】
以上の構成により、両側からコイルスプリング５の張力を調節することができる。そのため、マットレス装置１Ａの右側Ｗ１の端を壁に当接させた状態でも、クッション性を調節することができる。
【００５８】
〔第三実施形態〕
次に、第三実施形態について説明する。
第一実施形態と同様の構成要素には、第一実施形態と同じ符号を付し、説明を省略する。
本実施形態のマットレス装置１Ｂは、第一実施形態のマットレス装置１では、載置部６が第一層部６１と第二層部７１とにより構成されているのに対し、フレーム部２に梁２ｈが設けられておらず、図７（ａ）及び図７（ｂ）に示すように、載置部６Ｂが一つの板状に形成され、その上面に調節機構４を収容できる収容部６７が形成されている点で異なる。
【００５９】
載置部６Ｂは、第一層部６１の表裏を逆転したような形状である。具体的には、当接面に、第一収容部６４の溝部６４ａ、第一切欠６４ｂ及び第二切欠６４ｃと同様に、幅方向Ｗに沿って、調節機構４のコイルスプリング、連結板、シャフト及び第二係止部を収容する収容部６７と、その溝に被せる蓋６８とを有している。
【００６０】
以上の構成により、調節機構４のコイルスプリングを容易に取り換えることができる。
【００６１】
以上、本発明のマットレス装置について上述した実施形態を挙げて説明したが、本発明はこれに限定されない。例えば、上述した実施形態では、マットレス装置をベッドに用いる例を示しているが、本発明は他のものにも用いることができ、例えば、列車や自動車の座席や、椅子に用いることができる。そして、座席や、椅子に用いる場合には、調節機構４が一つでも座面のクッション性を調節することができる。
【００６２】
また、上述した実施形態では、上層部５ａと第二層部７１が、一つの弾性材料により単層で形成されているが、本発明はこれに限定されない。上層部５ａと第二層部７１は、複数の弾性材料により複数の層が重ねて形成されていてもよい。
【００６３】
さらに、上述した本実施形態においては、調節機構４は、第一調節機構４１、第二調節機構４３および第三調節機構４５の三つを有しているが本発明はこれに限定されない。その他の人体の部位、例えば、頭部、臀部、大腿部などに対応して設けることもできる。
【００６４】
上述した本実施形態においては、弾性部材としてコイルスプリング５が用いられているが、本発明はこれに限定されない。ゴムバンド等の他の弾性部材を好適に用いることができる。
【００６５】
上述した第一、第二実施形態においては、載置部６は、第一層部６１と第二層部７１が、略同じ厚さに形成されているが、本発明はこれに限定されない。例えば、梁２ｈが、高さ方向の位置が中程よりも上側に設けられている場合には、第一層部６１を第二層部７１よりも薄くしてもよい。
【００６６】
上述した実施形態においては、フレーム部２が梁２ｈを有しているが本発明はこれに限定されない。フレーム部２が梁２ｈを有していなくてもよい。その場合は、対向面６３に設けられた当接領域６ｅには、第二当接領域６３ｃを設けなくてもよい。
【００６７】
さらに、上述した実施形態のマットレス装置１、１Ａ、１Ｂは、布地を袋状に縫製した外装体で被覆されていてもよい。その場合は、調節ハンドルが挿通する挿通孔が形成されている。
また、この挿通孔には、ファスナやホックなどの止具が設けられていてもよい。これにより、クッション性を調節する場合を除き、挿通孔を塞ぐことができる。
【産業上の利用可能性】
【００６８】
本発明は、以上のように構成したので、利用者の体型やその時の好みにより、変化する横臥面のクッション性を自由に調整することができるマットレス装置を提供することができる。
【符号の説明】
【００６９】
１        マットレス装置
２        フレーム部
２ａ      枠体
２ｂ      第一辺部
２ｄ      第二辺部
４        調節機構
４１      第一調節機構
４３      第二調節機構
４５      第三調節機構
４６      調節ハンドル
５        コイルスプリング
６        載置部
６１      第一層部
６２      当接面
６３      対向面
７１      第二層部
Ｗ        幅方向
Ｗ１      右側
Ｗ２      左側
Ｌ        長さ方向
Ｌ１      前側
Ｌ２      後側
Ｈ        高さ方向
Ｈ１      上側
Ｈ２      下側
ＣＷ      時計回り
ＣＣＷ    反時計回り
【図１】
2020162731.tif 000003
【図２】
2020162731.tif 000004
【図３】
2020162731.tif 000005
【図４】
2020162731.tif 000006
【図５】
2020162731.tif 000007
【図６】
2020162731.tif 000008
【図７】
2020162731.tif 000009